(57)【要約】【課題】  簡単な操作で５０音を入力することができるナビゲーション装置および５０音文字入力方法を提供する。【解決手段】  乗員は、５０音文字入力ボード４０に横一列に並んで表示されている行選択文字４２ａ〜４２ｋの中から、入力する文字４２２ｅの行にかかる行選択文字４２ｅを、ジョイスティック２２を右方向または左方向に傾倒することによって選択する。そして、ジョイスティックを右斜め上方向に傾倒して入力する文字４２２ｅを選択して、文字を入力する。【選択図】図６
2006284219.tif 000002
【特許請求の範囲】
【請求項１】
乗員が縦、横および斜めの８方向のうちの１方向を選択操作することのできる入力装置を備えたナビゲーション装置において、
前記乗員が前記入力装置の横の２方向または縦の２方向のうちの１方向を選択操作することによって５０音のかなのうちのあ段の文字のうちの１つの文字を選択することのできる第１の文字選択手段と、
前記乗員が前記入力装置の斜めの４方向のうちの１方向を選択操作することによって、前記第１の文字選択手段によって選択されたあ段の文字と同じ行のい段、う段、え段およびお段の文字のうちの１つの文字を選択することができる第２の文字選択手段と、
前記乗員が前記第１の文字選択手段および前記第２の文字選択手段のうちの一方の文字選択手段によって選択された文字の入力を確定する文字確定手段とを備えることを特徴とするナビゲーション装置。
【請求項２】
請求項１に記載されたナビゲーション装置において、
前記第２の文字選択手段は、あ段の文字と同じ行のい段、う段、え段およびお段の文字を選択するときの前記入力装置の選択方向が５０音のかなの各あ段の文字において共通することを特徴とするナビゲーション装置。
【請求項３】
請求項１または２に記載されたナビゲーション装置において、
前記乗員は、さらに前記入力装置の前記８方向の真ん中を選択操作することができ、
前記文字確定手段は、前記第１の文字選択手段または前記第２の文字選択手段によって文字が選択された後、前記乗員が前記入力装置の前記８方向の真ん中を選択操作することにより選択された文字の入力を確定することを特徴とするナビゲーション装置。
【請求項４】
請求項１乃至３のいずれか１項に記載されたナビゲーション装置において、
５０音のかなのうちのあ段の文字の全部または一部を横または縦に一列に表示する、または５０音のかなのうちのあ段の文字の１文字を表示する第１の文字表示手段と、
前記第１の文字選択手段によって選択されたあ段の文字の斜め方向に前記あ段と同じ行のい段、う段、え段およびお段の文字を表示する第２の文字表示手段とを備えることを特徴とするナビゲーション装置。
【請求項５】
請求項４に記載されたナビゲーション装置において、
前記第２の文字表示手段は、あ段の文字に対するあ段の文字と同じ行のい段、う段、え段およびお段の文字を表示する方向が５０音のかなの各あ段の文字において共通することを特徴とするナビゲーション装置。
【請求項６】
乗員が縦、横および斜めの８方向のうちの１方向を選択操作することのできる入力装置を使用してかなを入力する５０音文字入力方法において、
前記乗員が前記入力装置の横の２方向または縦の２方向のうちの１方向を選択操作することによって５０音のかなのうちのあ段の文字のうちの１つの文字を選択し、
前記乗員が前記入力装置の斜めの４方向のうちの１方向を選択操作することによって、前記第１の文字選択手段によって選択されたあ段の文字と同じ行のい段、う段、え段およびお段の文字のうちの１つの文字を選択し、
前記乗員が前記選択された文字の入力を確定することを特徴とする５０音文字入力方法。
【請求項７】
請求項６に記載された５０音文字入力方法において、
あ段の文字と同じ行のい段、う段、え段およびお段の文字を選択するときの前記入力装置の選択方向が５０音のかなの各あ段の文字において共通することを特徴とする５０音文字入力方法。
【請求項８】
請求項６または７に記載された５０音文字入力方法において、
５０音のかなのうちのあ段の文字の全部または一部を横または縦に一列に表示し、または５０音のかなのうちのあ段の文字の１文字を表示し、
前記選択されたあ段の文字の斜め方向に前記あ段と同じ行のい段、う段、え段およびお段の文字を表示することを特徴とする５０音文字入力方法。
【請求項９】
請求項８に記載された５０音文字入力方法において、
あ段の文字に対するあ段の文字と同じ行のい段、う段、え段およびお段の文字を表示する方向が５０音のかなの各あ段の文字において共通することを特徴とする５０音文字入力方法。
【発明の詳細な説明】
【技術分野】
【０００１】
本発明は、簡単な操作で５０音を入力することができるナビゲーション装置および５０音文字入力方法に関する。
【背景技術】
【０００２】
従来技術として、次のような５０音入力システムが知られている。ジョイスティックを所定の位置まで水平方向に回転、または所定の位置に傾倒して入力したい語に係る行を選択し、そしてジョイスティックを所定の位置に傾倒、または所定の位置まで水平方向に回転することによってその行の中の語から入力したい語を選択する（特許文献１）。
【特許文献１】特開２００４−２４６５９９号公報
【発明の開示】
【発明が解決しようとする課題】
【０００３】
特許文献１の発明では、速やかに５０を入力するために、それぞれの行や語に対応するジョイスティックの回転位置または傾倒位置を予め覚えなくてはならないという問題点がある。位置を覚えていなくてもジョイスティックから伝わる反力によって位置を確認しながら入力することが可能であるが、この場合は５０音の入力に時間がかかる。
【課題を解決するための手段】
【０００４】
（１）請求項１の発明は、乗員が縦、横および斜めの８方向のうちの１方向を選択操作することのできる入力装置を備えたナビゲーション装置において、乗員が入力装置の横の２方向または縦の２方向のうちの１方向を選択操作することによって５０音のかなのうちのあ段の文字のうちの１つの文字を選択することのできる第１の文字選択手段と、乗員が入力装置の斜めの４方向のうちの１方向を選択操作することによって、第１の文字選択手段によって選択されたあ段の文字と同じ行のい段、う段、え段およびお段の文字のうちの１つの文字を選択することができる第２の文字選択手段と、乗員が第１の文字選択手段および第２の文字選択手段のうちの一方の文字選択手段によって選択された文字の入力を確定する文字確定手段とを備えることを特徴とする。
（２）請求項２の発明は、請求項１に記載されたナビゲーション装置において、第２の文字選択手段は、あ段の文字と同じ行のい段、う段、え段およびお段の文字を選択するときの入力装置の選択方向が５０音のかなの各あ段の文字において共通することを特徴とする。
（３）請求項３の発明は、請求項１または２に記載されたナビゲーション装置において、乗員は、さらに入力装置の８方向の真ん中を選択操作することができ、文字確定手段は、第１の文字選択手段または第２の文字選択手段によって文字が選択された後、乗員が入力装置の８方向の真ん中を選択操作することにより選択された文字の入力を確定することを特徴とする。
（４）請求項４の発明は、請求項１乃至３のいずれか１項に記載されたナビゲーション装置において、５０音のかなのうちのあ段の文字の全部または一部を横または縦に一列に表示する、または５０音のかなのうちのあ段の文字の１文字を表示する第１の文字表示手段と、第１の文字選択手段によって選択されたあ段の文字の斜め方向にあ段と同じ行のい段、う段、え段およびお段の文字を表示する第２の文字表示手段とを備えることを特徴とする。
（５）請求項５の発明は、請求項４に記載されたナビゲーション装置において、第２の文字表示手段は、あ段の文字に対するあ段の文字と同じ行のい段、う段、え段およびお段の文字を表示する方向が５０音のかなの各あ段の文字において共通することを特徴とする。
（６）請求項６の発明は、乗員が縦、横および斜めの８方向のうちの１方向を選択操作することのできる入力装置を使用してかなを入力する５０音文字入力方法において、乗員が入力装置の横の２方向または縦の２方向のうちの１方向を選択操作することによって５０音のかなのうちのあ段の文字のうちの１つの文字を選択し、乗員が前記入力装置の斜めの４方向のうちの１方向を選択操作することによって、第１の文字選択手段によって選択されたあ段の文字と同じ行のい段、う段、え段およびお段の文字のうちの１つの文字を選択し、乗員が選択された文字の入力を確定することを特徴とする。
（７）請求項７の発明は、請求項６に記載された５０音文字入力方法において、あ段の文字と同じ行のい段、う段、え段およびお段の文字を選択するときの入力装置の選択方向が５０音のかなの各あ段の文字において共通することを特徴とする。
（８）請求項８の発明は、請求項６または７に記載された５０音文字入力方法において、５０音のかなのうちのあ段の文字の全部または一部を横または縦に一列に表示し、または５０音のかなのうちのあ段の文字の１文字を表示し、選択されたあ段の文字の斜め方向にあ段と同じ行のい段、う段、え段およびお段の文字を表示することを特徴とする。
（９）請求項９の発明は、請求項８に記載された５０音文字入力方法において、あ段の文字に対するあ段の文字と同じ行のい段、う段、え段およびお段の文字を表示する方向が５０音のかなの各あ段の文字において共通することを特徴とする。
【発明の効果】
【０００５】
本発明によれば、乗員が縦、横および斜めの８方向のうちの１方向を選択操作することのできる入力装置の横の２方向または縦の２方向のうちの１方向を選択操作することによって５０音のかなのうちのあ段の文字のうちの１つの文字を選択することができ、さらに入力装置の斜めの４方向のうちの１方向を選択操作することによって、選択されたあ段の文字と同じ行のい段、う段、え段およびお段の文字のうちの１つの文字を選択することができるので、簡単な操作で５０音を入力することができる。
【発明を実施するための最良の形態】
【０００６】
本発明の実施形態によるナビゲーション装置の構成を図１に示す。図１のナビゲーション装置１は、入力装置に設けられたジョイスティックによって、簡単な操作で５０音を入力することができる。ナビゲーション装置１は、制御回路１１、ＲＯＭ１２、ＲＡＭ１３、現在地検出装置１４、画像メモリ１５、表示モニタ１６、入力装置１７およびディスクドライブ１８を有している。
【０００７】
ディスクドライブ１８には、道路地図データが記録されたＤＶＤ−ＲＯＭ１９が装填される。道路地図データは、道路地図表示用データ、経路探索用データなどを含む。道路地図表示用データは、広域から詳細まで複数の縮尺の地図データを有し、乗員の要求にしたがって、表示地図の縮尺を変更することができる。
【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１９に記憶された道路地図データに基づいて所定の経路探索処理を行うと、その処理結果が探索ルートとして表示モニタ１６に表示される。
【０００９】
現在地検出装置１４は車両の現在地を検出する装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、道路地図の表示範囲や経路探索開始点などを決定するとともに、道路地図上にその現在地を表示する。
【００１０】
画像メモリ１５は、表示モニタ１６に表示するための画像データを格納する。この画像データは道路地図描画用データや各種の図形データからなり、それらはディスクドライブ１８によって読み込まれるＤＶＤ−ＲＯＭ１９に記憶された道路地図データに基づいて、適宜生成される。ナビゲーション装置１は、このようにして生成された画像データを用いることによって表示モニタ１６に道路地図表示など行うことができる。
【００１１】
表示モニタ１６は、道路地図データなどの各種情報に基づいて、自車位置付近の道路地図などの各種情報を画面表示としてナビゲーション装置１の乗員に提供する。入力装置１７は、乗員が目的地の設定などを行うための各種入力スイッチを有し、これは操作パネルやリモコンなどによって実現される。リモコンにはジョイスティックが設けられており、ジョイスティックを用いることによって表示モニタ１６に表示される地図表示位置を変えたり、ナビゲーション装置１の各種設定項目の選択、決定を行うことができる。リモコンに設けられたジョイスティックの詳細については後述する。乗員は、表示モニタ１６に表示される画面指示に従って入力装置１７を操作することにより、地名や地図上の位置を指定して目的地を設定し、その目的地までの経路探索をナビゲーション装置１に開始させることができる。
【００１２】
目的地が乗員により設定されると、ナビゲーション装置１は、ＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、乗員は地図上の探索ルートを画面上で認識することができる。また、ナビゲーション装置１は、探索ルートに従って車両が走行できるように、乗員に対して画面や音声などによる進行方向指示を行い、車両を誘導する。
【００１３】
ディスクドライブ１８は、装填されたＤＶＤ−ＲＯＭ１９から、表示モニタ１６に道路地図を表示させるための道路地図データを読み出す。なお、ＤＶＤ−ＲＯＭ以外の他の記録メディア、たとえばＣＤ−ＲＯＭやハードディスクなどより道路地図データを読み出してもよい。
【００１４】
次に、リモコン２０に設けられたジョイスティックについて図２を参照して説明する。説明を簡略化するために、リモコン２０に設けられているジョイスティック２２以外のスイッチについては省略する。
【００１５】
図２（ａ）に示すように、リモコン２０の先端には、リモコン２０の操作内容をナビゲーション装置１本体に送信するためのリモコン発光部２１を備えてある。リモコン２０において、リモコン発光部２１が備えてある方向を以下、上方向と呼ぶ。ジョイスティック２２はリモコン２０の上半部に設けられており、その周りには、ジョイスティックを傾斜させた方向がわかるようにするため、上方向、右斜め上方向、右方向、右斜め下方向、下方向、左斜め下方向、左方向および左斜め上方向の８方向に目印２３が設けられている。
【００１６】
図２（ｂ）に示すように、ジョイスティック２２を上方向、右斜め上方向、右方向、右斜め下方向、下方向、左斜め下方向、左方向および左斜め上方向の８方向に傾倒することができる。この傾倒方向によって地図表示位置を変えたり、種々の設定項目やスイッチを選択などすることができる。また、ジョイスティック２２を傾倒する以外に、図２（ｃ）に示すようにジョイスティック２２を押すことができる。ジョイスティック２２を押すことによって選択を確定したり選んだスイッチの内容を実行したりすることができる。
【００１７】
次に本発明の実施形態のナビゲーション装置１における５０音入力方法について、図３〜図６を参照して説明する。乗員は、５０音入力で、探索経路の目的地を設定しようとしているものとする。乗員の設定しようとしている目的地の名称の先頭の文字は「ぬ」とする。
【００１８】
乗員はまず、表示モニタ１６に地図画面３６とともに表示されているメニュー３１〜３５の中から、経路探索の目的地を設定するメニューである「行き先の設定」メニュー３１を選択する。選択は、リモコン２０のジョイスティック２２を傾倒して行う。「行き先の設定」メニュー３１を選択し、ジョイスティック２２を押して確定すると、目的地の設定手段にかかわるプルダウンメニュー３１ａ〜３１ｆが表示される。乗員は５０音入力で名称を入力して探索経路の目的地を設定するので、リモコン２０のジョイスティック２２を傾倒して、「名称から」３１ｂを選択する。そして、ジョイスティック２２を押して確定する。
【００１９】
乗員がジョイスティック２２を押して選択を確定すると、図４に示すように５０音文字入力ボード４０が表示モニタ１６に表示される。５０音文字入力ボード４０は５０音入力をするための画面であり、入力文字表示領域４１と文字入力領域４２とを備えている。入力文字表示領域４１には、入力した文字が表示される。文字入力領域４２には、５０音の各行のあ行の文字４２ａ〜４２ｋ（以下、行選択文字と呼ぶ）が、横一列に表示される。乗員は、行選択文字４２ａ〜４２ｋより行を選択し、その後、選択した行の文字の中から入力する文字を選択する。乗員は、ジョイスティック２２を右方向または左方向に傾倒することによって選択する行選択文字４２ａ〜４２ｋを隣の行選択文字４２ａ〜４２ｋに変更することができる。また、ジョイスティック２２を右方向または左方向に傾倒し続けると、選択している行選択文字４２ａ〜４２ｋが右方向または左方向に位置する文字へ順次変更されていく。
【００２０】
５０音文字入力ボート４０が表示されるとき、最初に行選択文字４２ａ「あ」が選択される。選択された行選択文字４２ａは、ほかの行選択文字４２ｂ〜４２ｋと異なる色で表示される。選択された行選択文字４２ａの左右斜め上下に行選択文字４２ａ以外のあ行にかかる文字が表示される。行選択文字４２ａ「あ」が選択された場合は、「あ」の左斜め上に「い」の文字４２１ａが表示され、「あ」の右斜め上には「う」の文字４２２ａが表示され、「あ」の左斜め下には「え」の文字４２３ａが表示され、「あ」の右斜め下には「お」の文字４２４ａが表示される。ほかの行選択文字４２ｂ〜４２ｋも選択されると同様に、行選択文字４２ｂ〜４２ｋの左斜め上の位置に行選択文字４２ｂ〜４２ｋにかかる行のい段の文字が、右斜め上の位置に行選択文字４２ｂ〜４２ｋにかかる行のう段の文字が、左斜め下の位置に行選択文字４２ｂ〜４２ｋにかかる行のえ段の文字が、右斜め下の位置に行選択文字４２ｂ〜４２ｋにかかる行のお段の文字がそれぞれ表示される。
【００２１】
乗員は、「ぬ」の文字が含まれる行の行選択文字４２ｅ「な」を選択するために、ジョイスティック２２を右方向に傾倒して、選択する行選択文字４２ａ〜４２ｋを変更する。乗員が行選択文字４２ｅ「な」を選択すると、行選択文字４２ｅの左右斜め上下にな行にかかる残りの文字「に」「ぬ」「ね」「の」の文字４２１ｅ〜４２４ｅの文字（以下、行選択文字にかかる、い段、う段、え段およびお段の文字を派生文字と呼ぶ）が表示される。「に」の文字４２１ｅな行のい段の文字なので、「な」の文字４２ｅの左斜め上の位置に表示され、「ぬ」の文字４２２ｅな行のう段の文字なので、「な」の文字４２ｅの右斜め上の位置に表示され、「ね」の文字４２３ｅな行のえ段の文字なので、「な」の文字４２ｅの右斜め下の位置に表示され、「の」の文字４２４ｅな行のお段の文字なので、「な」の文字４２ｅの右斜め下の位置に表示される。
【００２２】
次に、「な」行の文字の中から「ぬ」の文字４２２ｅを選択するが、な行のぞれぞれの文字は次のように選択する。「な」行の文字のうち「な」の文字４２ｅはそのままジョイスティック２２を押すと入力が確定し、「な」の文字をナビゲーション装置１に入力することができる。「に」の文字４２１ｅは、ジョイスティック２２を左斜め上に傾倒した後、ジョイスティック２２を押すことによって入力が確定し、「に」の文字をナビゲーション装置１に入力することができる。「ぬ」の文字４２２ｅは、ジョイスティック２２を右斜め上に傾倒した後、ジョイスティック２２を押すことによって入力が確定し、「ぬ」の文字をナビゲーション装置１に入力することができる。「ね」の文字４２３ｅは、ジョイスティック２２を左斜め下に傾倒した後、ジョイスティック２２を押すことによって入力が確定し、「ね」の文字をナビゲーション装置１に入力することができる。「の」の文字４２４ｅは、ジョイスティック２２を右斜め下に傾倒した後、ジョイスティック２２を押すことによって入力が確定し、「の」の文字をナビゲーション装置１に入力することができる。ほかの行選択文字４２ａ〜４２ｋについても同様な操作で所望の文字を入力することができる。乗員は、図６に示すように、「ぬ」の文字４２２ｅを選択して入力する。そして、「ぬ」の文字４２２ｅが入力文字表示領域４１に表示される。乗員が上記操作を繰り返すことによって、目的地の名称を入力することができる。入力が完了したらリモコン２０に設けられた不図示の終了ボタンを押す。
【００２３】
次に、本発明の実施形態によるナビゲーション装置１における５０音入力処理を図７および図８のフローチャートを参照して説明する。図７，８の処理は、５０音で名称などを入力する必要のあるメニューを選択したときにスタートするプログラムを制御回路１１で実行して行われる。
【００２４】
以下のフローチャートの説明で、「右方向の位置の文字」、「左方向の位置の文字」、「左斜め上方向の位置の文字」、「左斜め下方向の位置の文字」、「右斜め上方向の位置の文字」および「右斜め下方向の位置の文字」という語を用いるが次のように定義する。行選択文字４２ａ〜４２ｋの「右方向の位置の文字」および「左方向の位置の文字」は、右隣に位置するおよび左隣に位置する行選択文字４２ａ〜４２ｋとする。たとえば、図５の「な」の文字４２ｅの「右方向の位置の文字」は「は」の文字４２ｆであり、「左方向の位置の文字」は「た」の文字４２ｄである。派生文字の右方向または左方向の位置にほかに文字は存在するが隣の位置に存在しないので、派生文字の「右方向の位置の文字」および「左方向の位置の文字」は存在しないものとする。したがって、図５の「に」の文字４２１ｅの右方向に「ぬ」の文字４２２ｅは存在するが「右方向の位置の文字」には該当せず、また「の」の文字４２４ｅの左方向に「ね」の文字４２３ｅは存在するが、「左方向の位置の文字」には該当しないものとする。
【００２５】
「左斜め上方向の位置の文字」、「左斜め下方向の位置の文字」、「右斜め上方向の位置の文字」および「右斜め下方向の位置の文字」は、行選択文字４２ａ〜４２ｋとその行選択文字４２ａ〜４２ｋにかかる派生文字との間の位置関係にかかる文字を示し、行選択文字４２ａ〜４２ｋとその行選択文字４２ａ〜４２ｋと関係のない派生文字との間では、そのような位置関係にあったとしても、「左斜め上方向の位置の文字」、「左斜め下方向の位置の文字」、「右斜め上方向の位置の文字」および「右斜め下方向の位置の文字」に該当しないものとする。たとえば、図５の「の」の文字４２４ｅの「左斜め上方向の位置の文字」は、「な」の文字４２ｅとなる。しかし、「の」の文字４２４ｅの右斜め上方向に「ま」の文字４２ｇが位置していても、「ま」の文字４２ｇは、「の」の文字４２４ｅの「右斜め上方向の位置の文字」に該当しない。
【００２６】
ステップＳ７０１では、５０音文字入力ボード４０が表示モニタ１６に表示される。ステップＳ７０２では、行選択文字４２ａ「あ」を選択する。ステップＳ７０３では、ジョイスティック２２が押されたか否かの判定を行う。押された場合は、ステップＳ７０３が
肯定判定され、ステップＳ７０４へ進む。押されていない場合は、ステップＳ７０３が否定判定され、ステップＳ７０７へ進む。ステップＳ７０４では、選択されている文字を入力する。ステップＳ７０５では、リモコン２０に設けられた不図示の終了ボタンで５０音入力処理が終了されたか判定される。終了された場合は、ステップＳ７０５は肯定判定され、５０音入力処理は終了する。終了されていない場合は、ステップＳ７０６へ進む。ステップＳ７０６では、選択されている文字が、入力された文字にかかる行選択文字４２ａ〜４２ｋに変更される。たとえば、「ぬ」の文字４２２ｅが入力された場合、「な」の文字４２ｅが選択される。そして、ステップＳ７０３へ戻る。
【００２７】
ステップＳ７０７では、ジョイスティック２２が右方向に傾倒されたか判定を行う。右方向に傾倒された場合は、ステップＳ７０７は肯定判定され、ステップＳ７０８へ進む。ジョイスティック２２が右方向に傾倒されていない場合は、ステップＳ７０７が否定判定され、ステップＳ７１０へ進む。ステップＳ７０８では、選択された文字の「右方向の位置の文字」が存在するか判定を行う。たとえば、図４に示す「あ」の文字４２ａが選択されている場合は、「あ」の文字４２ａの右方向の位置に「か」の文字４２ｂが存在するので、ステップＳ７０８は肯定判定される。一方、図４に示す「う」の文字４２２ａが選択されている場合は、「右方向の位置の文字」は存在しないので、ステップＳ７０８は否定判定される。選択された文字の「右方向の位置の文字」が存在する場合は、ステップＳ７０８が肯定判定され、ステップＳ７０９へ進む。存在しない場合は、ステップＳ７０８が否定判定され、ステップＳ７０３に戻る。ステップＳ７０９では、選択されている文字を「右方向の位置の文字」に変更する。そして、ステップＳ７０３へ戻る。
【００２８】
ステップＳ７１０では、ジョイスティック２２が左方向に傾倒されたか判定を行う。左方向に傾倒された場合は、ステップＳ７１０は肯定判定され、ステップＳ７１１へ進む。ジョイスティック２２が左方向に傾倒されていない場合は、ステップＳ７１０が否定判定され、ステップＳ８０１へ進む。ステップＳ７１１では、選択された文字の「左方向の位置の文字」が存在するか判定を行う。たとえば、図５に表示されている「な」の文字４２ｅが選択されている場合は、「な」の文字４２ｅの左方向の位置に「た」の文字４２ｄが存在するので、ステップＳ７１１は肯定判定される。一方、図５に表示されている「ぬ」の文字４２２ｅが選択されている場合は、「左方向の位置の文字」は存在しないので、ステップＳ７１１は否定判定される。選択された文字の「左方向の位置の文字」が存在する場合は、ステップＳ７１１が肯定判定され、ステップＳ７１２へ進む。存在しない場合は、ステップＳ７１１が否定判定され、ステップＳ７０３に戻る。ステップＳ７１２では、選択されている文字を「左方向の位置の文字」に変更する。そして、ステップＳ７０３へ戻る。
【００２９】
ステップＳ８０１では、ジョイスティック２２が左斜め上方向に傾倒されたか判定を行う。左斜め上方向に傾倒された場合は、ステップＳ８０１は肯定判定され、ステップＳ８０２へ進む。ジョイスティック２２が左斜め上方向に傾倒されていない場合は、ステップＳ８０１が否定判定され、ステップＳ８０４へ進む。ステップＳ８０２では、選択された文字の「左斜め上方向の位置の文字」が存在するか判定を行う。たとえば、図５に表示されている「な」の文字４２ｅが選択されている場合は、「な」の文字４２ｅの左斜め上方向の位置に「に」の文字４２１ｅが存在するので、ステップＳ８０２は肯定判定される。一方、図５に表示されている「ぬ」の文字４２２ｅが選択されている場合は、「左斜め上方向の位置の文字」は存在しないので、ステップＳ８０２は否定判定される。選択された文字の「左斜め上方向の位置の文字」が存在する場合は、ステップＳ８０２が肯定判定され、ステップＳ８０３へ進む。存在しない場合は、ステップＳ８０２が否定判定され、ステップＳ７０３に戻る。ステップＳ８０３では、選択されている文字を「左斜め上方向の位置の文字」に変更する。そして、ステップＳ７０３へ戻る。
【００３０】
ステップＳ８０４では、ジョイスティック２２が左斜め下方向に傾倒されたか判定を行う。左斜め下方向に傾倒された場合は、ステップＳ８０４は肯定判定され、ステップＳ８０５へ進む。ジョイスティック２２が左斜め上方向に傾倒されていない場合は、ステップＳ８０４が否定判定され、ステップＳ８０７へ進む。ステップＳ８０５では、選択された文字の「左斜め下方向の位置の文字」が存在するか判定を行う。選択された文字の「左斜め下方向の位置の文字」が存在する場合は、ステップＳ８０５が肯定判定され、ステップＳ８０６へ進む。存在しない場合は、ステップＳ８０５が否定判定され、ステップＳ７０３に戻る。ステップＳ８０６では、選択されている文字を「左斜め下方向の位置の文字」に変更する。そして、ステップＳ７０３へ戻る。
【００３１】
ステップＳ８０７では、ジョイスティック２２が右斜め上方向に傾倒されたか判定を行う。右斜め上方向に傾倒された場合は、ステップＳ８０７は肯定判定され、ステップＳ８０８へ進む。ジョイスティック２２が左斜め上方向に傾倒されていない場合は、ステップＳ８０７が否定判定され、ステップＳ８１０へ進む。ステップＳ８０８では、選択された文字の「右斜め上方向の位置の文字」が存在するか判定を行う。選択された文字の「右斜め上方向の位置の文字」が存在する場合は、ステップＳ８０８が肯定判定され、ステップＳ８０９へ進む。存在しない場合は、ステップＳ８０８が否定判定され、ステップＳ７０３に戻る。ステップＳ８０９では、選択されている文字を「右斜め上方向の位置の文字」に変更する。そして、ステップＳ７０３へ戻る。
【００３２】
ステップＳ８１０では、ジョイスティック２２が右斜め下方向に傾倒されたか判定を行う。右斜め下方向に傾倒された場合は、ステップＳ８１０は肯定判定され、ステップＳ８１１へ進む。ジョイスティック２２が左斜め下方向に傾倒されていない場合は、ステップＳ８１０が否定判定され、ステップＳ７０３へ進む。ステップＳ８１１では、選択された文字の「右斜め下方向の位置の文字」が存在するか判定を行う。選択された文字の「右斜め下方向の位置の文字」が存在する場合は、ステップＳ８１１が肯定判定され、ステップＳ８１２へ進む。存在しない場合は、ステップＳ８１１が否定判定され、ステップＳ７０３に戻る。ステップＳ８０９では、選択されている文字を「右斜め下方向の位置の文字」に変更する。そして、ステップＳ７０３へ戻る。
【００３３】
以上の実施の形態によるナビゲーション装置１は次のような作用効果を奏する。
（１）乗員が縦、横および斜めの８方向のうちの１方向を傾倒することのできるジョイスティック２２の横の２方向または縦の２方向のうちの１方向を傾倒することによって５０音のかなのうちのあ段の文字のうちの１つの文字を選択することができ、さらに乗員がジョイスティック２２の斜めの４方向のうちの１方向を傾倒することによって、選択されたあ段の文字と同じ行のい段、う段、え段およびお段の文字のうちの１つの文字を選択することができるので、簡単な操作で５０音を入力することができる。
（２）あ段の文字と同じ行のい段、う段、え段およびお段の文字を選択するときのジョイスティック２２の傾倒方向が５０音のかなの各あ段の文字において共通するので、各文字を選択するときのジョイスティック２２の傾倒方向を覚えなくてもよく、文字の入力が速くなる。
（３）５０音文字入力ボード４０には、横一列に並んだ５０音の各行の先頭の文字である行選択文字４２ａ〜４２ｋと、１つの行選択文字４２ａ〜４２ｋの斜め方向に派生文字が表示モニタ１６に表示される。よって、入力したい文字を選択する場合は、入力したい文字の方向へジョイスティック２２を傾倒すればよい。したがって、それぞれの行や語に対応するジョイスティック２２の回転位置または傾倒位置を予め覚えなくてもよく、簡単な操作で５０音を入力することができる。
（４）５０音文字入力ボード４０の文字入力領域４２には、５０音の各行の先頭の文字である行選択文字４２ａ〜４２ｋと１つの行選択文字４２ａ〜４２ｋの派生文字しか表示されないので所望の文字を選択するために探すのが容易となる。また、表示される文字が少ないので、文字を大きくすることができ、文字を見やすくすることができる。
（５）ジョイスティック２２を左右方向に傾倒する操作を続け、最後に１回ジョイスティック２２を斜め方向に傾倒すれば、入力したい文字を選択することができる。したがって、単純な操作で所望の文字を入力することができる。
【００３４】
以上の実施の形態を次のように変形することができる。
（１）以上の実施の形態では、５０音入力ボード４０に文字入力領域４２を表示したが、入力文字表示領域４１に選択された行選択文字４２ｂ〜４２ｋを表示して、文字入力領域４２を表示しなくてもよい。選択された行選択文字４２ｂ〜４２ｋが入力文字表示領域４１に表示されていれば、文字入力領域４２が表示されていなくてもジョイスティック２２の操作で所望の文字を選択することができるからである。たとえば、図９に示すように入力文字表示領域４１に行選択文字４２ｂの「か」の文字９１が表示されていて、乗員は「に」の文字を入力しようとしているものとする。乗員は文字入力領域４２が表示されていなくてもジョイステッィク２２を右方向に傾倒して、「に」の文字の行選択文字４２ｅである「な」の文字を入力文字表示領域４１に表示することができる。そして、文字入力領域４２が表示されていなくても「に」の文字は「い」段の文字であるので、ジョイスティック２２を左斜め上方向に傾倒して「に」の文字を選択することができる。文字入力領域４２を表示しないので５０音文字入力ボード４０の表示を小さくすることができ、メニュー３１〜３５，３１ａ，３１ｄ〜３１ｆが５０音文字入力ボード４０によって隠れないので、どのような設定に対して５０音文字を入力しているか容易に把握することができる。
（２）５０音文字入力ボード４０に、５０音の全ての行選択文字４２ａ〜４２ｋを表示したが一部の行選択文字４２ａ〜４２ｋを表示するようにしてもよい。たとえば、選択した行選択文字４２ａ〜４２ｋのみ表示してもよいし、選択した行選択文字４２ａ〜４２ｋとその隣の行選択文字４２ａ〜４２ｋのみを表示するようにしてもよい。
（３）ジョイスティック２２を左方向または右方向傾倒することによって行選択文字４２ａ〜４２ｋを選択したが、ジョイスティックを上方向または下方向に傾倒することによって行選択文字４２ａ〜４２ｋを選択できるようにしてもよい。
（４）５０音文字入力ボード４０に、横一列に行選択文字４２ａ〜４２ｋを表示したが、縦一列に表示してもよい。この場合の行選択文字４２ａ〜４２ｋの選択はジョイスティック２２を上方向または下方向に傾倒することによって行う。
（５）ジョイスティック２２を上方向または下方向に傾倒することによって、入力した５０音の文字を漢字やカタカナなどに変換できるようにしてもよい。また、５０音入力から英数字の入力のための入力部に切り換えられるようにしてもよい。
（６）ジョイスティック２２をリモコン２０に設けたが操作パネルに設けてもよい。
（７）右方向、左方向などの８方向を選択することができる入力装置であれば、ジョイスティック２２に限定されない。たとえば、８方向のそれぞれの方向に対応するスイッチを備えた８方向スイッチを用いてもよい。右方向の位置の文字を選択する場合、８方向スイッチでは、ジョイスティック２２を右方向に傾倒する代わりに右方向を選択するスイッチを押す。
（８）ジョイスティック２２で文字を入力するものであれば、ナビゲーション装置１に限定されない。たとえば、携帯電話やＰＤＡ、メモリーオーディオプレーヤなどに適用してもよい。
【００３５】
特許請求の範囲の要素と実施の形態との対応関係を説明する。
本発明の縦は上方向および下方向に対応し、横は右方向および左方向に対応し、斜め方向は右斜め上方向、右斜め下方向、左斜め下方向および左斜め上方向に対応する。入力装置はリモコン２０に対応し、第１の文字表示手段および第２の文字表示手段は制御回路１１および表示モニタ１６に対応する。第１の文字選択手段と第２の文字選択手段は制御回と文字確定手段とは制御回路１１と入力装置１７とに対応する。８方向の真ん中を選択することはジョイスティック２２を押すことに対応する。なお、以上の説明はあくまで一例であり、発明を解釈する上で、上記の実施形態の構成要素と本発明の対応関係になんら限定されるものではない。
【図面の簡単な説明】
【００３６】
【図１】本発明のナビゲーション装置の構成を示すブロック図である。
【図２】ジョイスティックを説明するための図である。
【図３】探索経路の目的地を５０音入力で入力するときの表示モニタの表示を説明するための図である。
【図４】５０音文字入力ボードを説明するための図である。
【図５】５０音文字入力ボードにおける文字の選択を説明するための図である。
【図６】５０音文字入力ボードにおける文字の入力を説明するための図である。
【図７】５０音入力処理を説明するためのフローチャートである。
【図８】５０音入力処理を説明するためのフローチャートである。
【図９】他の実施形態における５０音文字入力ボードを説明するための図である。
【符号の説明】
【００３７】
１  ナビゲーション装置
１１  制御回路
１２  ＲＯＭ
１３  ＲＡＭ
１４  現在地検出装置
１５  画像メモリ
１６  表示モニタ
１７  入力装置
１８  ディスクドライブ
１９  ＤＶＤ−ＲＯＭ
２０  リモコン
２１  リモコン発光部
２２  ジョイスティック
２３  目印
３１〜３５  メニュー
３１ａ〜３１ｆ  プルダウンメニュー
４０  ５０音文字入力ボード
４１  入力文字表示領域
４２  文字入力領域
４２ａ〜４２ｋ  行選択文字
【図１】
2006284219.tif 000003
【図２】
2006284219.tif 000004
【図３】
2006284219.tif 000005
【図４】
2006284219.tif 000006
【図５】
2006284219.tif 000007
【図６】
2006284219.tif 000008
【図７】
2006284219.tif 000009
【図８】
2006284219.tif 000010
【図９】
2006284219.tif 000011